(57)【特許請求の範囲】
【請求項１】
配筋に用いるテンプレートであって、
板材の平面の内側と外側に鉄筋を挿入するための開口が形成され、
少なくとも内側の前記開口に、前記板材の平面から突出する管体が設けられ、
内側の前記開口の開口端である前記管体の突出端が、
外側の前記開口の、前記管体の突出端と同じ側にある開口端よりも、前記板材の平面から離れた位置にあることを特徴とするテンプレート。
【請求項２】
外側の前記開口に、前記板材の平面から突出する管体が設けられ、
内側と外側の前記開口に設けられた管体は、前記板材の平面に対し同じ側に突出し、
内側の前記管体の突出端が、
外側の前記開口の開口端である外側の前記管体の突出端よりも、前記板材の平面から離れた位置にあることを特徴とする請求項１記載のテンプレート。
【請求項３】
コンクリートの打設に用いる孔を有することを特徴とする請求項１または請求項２記載のテンプレート。
【請求項４】
前記テンプレートの固定に用いる固定具を取付けるための取付部を有することを特徴とする請求項１から請求項３のいずれかに記載のテンプレート。
【請求項５】
配筋に用いる一対のテンプレートによるテンプレートセットであって、
一方のテンプレートは、
請求項１から請求項４のいずれかに記載のテンプレートであり、前記一方のテンプレートの開口は鉄筋の一端を挿入するためのものであり、
他方のテンプレートは、
間隔を空けて配置された一対の板材を有し、
一方の前記板材の平面の内側と外側に前記鉄筋の他端を挿入するための開口が形成されたことを特徴とするテンプレートセット。
【請求項６】
一方の前記板材の平面に、コンクリート打設用の孔が設けられたことを特徴とする請求項５記載のテンプレートセット。
【請求項７】
他方の前記板材の平面に、コンクリート打設用の孔が設けられ、平面において、一方の前記板材の前記孔が、他方の前記板材の前記孔を包含していることを特徴とする請求項６記載のテンプレートセット。
【請求項８】
内側と外側に鉄筋を配置する工程（ａ）と、
請求項１から請求項４のいずれかに記載のテンプレートを移動させ、前記テンプレートの内側の前記開口に設けた前記管体の突出端から内側の前記鉄筋の一端を挿入した後、外側の前記開口に外側の前記鉄筋の一端を挿入する工程（ｂ）と、
を具備することを特徴とする配筋方法。
【請求項９】
前記テンプレートとして請求項４に記載のテンプレートを用い、
前記テンプレートの取付部に固定具を取付け、前記固定具を用いて前記テンプレートを固定する工程（ｃ）を有することを特徴とする請求項８記載の配筋方法。
【請求項１０】
前記工程（ａ）において、
間隔を空けて配置された一対の板材を有し、一方の前記板材の平面の内側と外側に前記鉄筋の他端を挿入するための開口が形成された別のテンプレートを用い、
内側と外側の前記鉄筋の他端を前記別のテンプレートの内側および外側の開口に挿入して配置することを特徴とする請求項８または請求項９に記載の配筋方法。
【請求項１１】
一方の前記板材の平面に、コンクリート打設用の孔が設けられることを特徴とする請求項１０記載の配筋方法。
【請求項１２】
他方の前記板材の平面に、コンクリート打設用の孔が設けられ、平面において、一方の前記板材の前記孔が、他方の前記板材の前記孔を包含していることを特徴とする請求項１１記載の配筋方法。
【発明の詳細な説明】
【技術分野】
【０００１】
本発明は、配筋に用いるテンプレート、テンプレートセットおよびこれを用いた配筋方法に関する。
【背景技術】
【０００２】
構造物を構築する際の工期短縮や工費削減を図るため、柱や梁等をプレキャストコンクリート部材（以下、ＰＣａ部材という）として工場であらかじめ製造し、建設現場に搬送して接合・組立を行う方法が用いられている。
【０００３】
ＰＣａ部材の接合は、例えばＰＣａ部材から突出した鉄筋と接合対象の部材の鉄筋をスリーブによって接続することで行われるが、このような方法ではこれらの鉄筋同士の位置合わせが重要である。例えばＰＣａ部材による柱を、現場打ちコンクリートの基礎梁と接合する場合、現場打ちコンクリートの基礎梁の鉄筋（柱主筋）を如何にして固定し、配置精度を確保するのかが重要になる。加えて、工期短縮を更に図るため、基礎梁を地組してユニット化し吊り込んで設置する配筋方法を行う場合があるが、その場合、配筋手順にあった固定方法としなくてはならない。
【０００４】
このような接続用の鉄筋（柱主筋）の配置精度を向上させる方法としては、当該鉄筋を単管やアングル材で組んだ櫓に固定して配置した後、基礎梁の梁主筋等の他の鉄筋を配筋する方法がある。一方、他の鉄筋を先にセットしておき、後から接続用の鉄筋を配置して後施工のアングルフレームやテンプレートにより固定する方法もある。特許文献１には鉄筋の固定に用いるテンプレートの例が記載されている。
【先行技術文献】
【特許文献】
【０００５】
【特許文献１】実開平3-130855号公報
【発明の概要】
【発明が解決しようとする課題】
【０００６】
前者の方法では、櫓などが邪魔になって後施工の鉄筋が配筋しづらくなるという欠点がある。例えば地組した基礎梁鉄筋を設置する際に先に配置した櫓や鉄筋が邪魔になり設置自体が出来ない。後者の方法では上記のような問題が改善されるが、例えばテンプレートを用いて接続用の鉄筋を固定する場合には、外側の鉄筋の位置を先に固定した後では内側の鉄筋の固定が難しくなるなど作業性が悪くなり、固定に必要な反力を簡単には取れないという欠点もある。よって後者の場合、接続用の鉄筋の配置精度を確保することが難しい。
【０００７】
本発明は上記の問題に鑑みてなされたものであり、配筋時の作業性等を向上可能なテンプレート等を提供し、それらによる簡易な固定方法を実現することを目的とする。
【課題を解決するための手段】
【０００８】
前述した目的を達成するための第１の発明は、鉄筋の配置に用いるテンプレートであって、板材の平面の内側と外側に前記鉄筋を挿入するための開口が形成され、少なくとも内側の前記開口に、前記板材の平面から突出する管体が設けられ、内側の前記開口の開口端である前記管体の突出端が、外側の前記開口の、前記管体の突出端と同じ側にある開口端よりも、前記板材の平面から離れた位置にあることを特徴とするテンプレートである。
【０００９】
前記テンプレートでは、外側の前記開口に、前記板材の平面から突出する管体が設けられ、内側と外側の前記開口に設けられた管体は、前記板材の平面に対し同じ側に突出し、内側の前記管体の突出端が、外側の前記開口の開口端である外側の前記管体の突出端よりも、前記板材の平面から離れた位置にあることが望ましい。
また、前記テンプレートはコンクリートの打設に用いる孔を有することが望ましい。
また、前記テンプレートは前記テンプレートの固定に用いる固定具を取付けるための取付部を有することが望ましい。
【００１０】
第２の発明は、鉄筋の配置に用いる一対のテンプレートによるテンプレートセットであって、一方のテンプレートは、第１の発明のテンプレートであり、前記一方のテンプレートの開口は前記鉄筋の一端を挿入するために用いられ、他方のテンプレートは、間隔を空けて配置された一対の板材を有し、一方の前記板材の平面の内側と外側に前記鉄筋の他端を挿入するための開口が形成されることを特徴とするテンプレートセットである。
【００１１】
一方の前記板材の平面に、コンクリート打設用の孔が設けられることが望ましい。
また他方の前記板材の平面に、コンクリート打設用の孔が設けられ、平面において、一方の前記板材の前記孔が、他方の前記板材の前記孔を包含していることも望ましい。
【００１２】
第３の発明は、内側と外側に鉄筋を配置する工程（ａ）と、第１の発明に記載のテンプレートを移動させ、前記テンプレートの内側の前記開口に設けた前記管体の突出端から内側の前記鉄筋の一端を挿入した後、外側の前記開口に外側の前記鉄筋の一端を挿入する工程（ｂ）と、を具備することを特徴とする配筋方法である。
【００１３】
前記テンプレートの取付部に固定具を取付け、前記固定具により前記テンプレートを周囲のフレームに対し固定する工程（ｃ）を有することが望ましい。
また、前記工程（ａ）において、間隔を空けて配置された一対の板材を有し、一方の前記板材の平面の内側と外側に前記鉄筋の他端を挿入するための開口が形成された別のテンプレートを用い、内側と外側の前記鉄筋の他端を前記別のテンプレートの内側および外側の開口に挿入して配置することも望ましい。
ここで、一方の前記板材の平面に、コンクリート打設用の孔が設けられることが望ましい。
また他方の前記板材の平面に、コンクリート打設用の孔が設けられ、平面において、一方の前記板材の前記孔が、他方の前記板材の前記孔を包含していることも望ましい。
【００１４】
第１の発明のテンプレートを用い、内側の鉄筋から外側の鉄筋へと順次その上端をテンプレートの開口に挿入することにより、鉄筋の位置決めを容易に行うことができる。例えば、外側の鉄筋の位置決めを行った後その内側に手を挿し込んで鉄筋の位置決めを行うといったことがなく、また管体に挿入済みの内側の鉄筋がガイドとなり、テンプレートを移動させてその他の開口に鉄筋を挿入する作業が楽になるので、一度に全ての鉄筋をテンプレートの開口に挿入する場合と比べて作業性は格段に向上する。テンプレートは簡易な構成で軽量であり、またテンプレートによる位置決めを行うことで鉄筋の配置精度も充分に確保できる。
【００１５】
また、第１の発明のテンプレートでは、内外の開口に管体を設けることで、その突出長さの違いにより施工特性に応じて鉄筋の挿入作業を段階的に分けることができる。さらに、テンプレートの中央部に孔を設けることで、テンプレートの上からコンクリートの打設を好適に行うことができる。加えて、テンプレートに固定具の取付用の孔を設けることで、レバーホイスト等の固定具を用いてテンプレートを周囲の架台等に固定することができる。テンプレートや架台は、コンクリートの打設後に撤去して転用することができ、無駄がない。
【００１６】
また、間隔を空けて配置した上下の板材から成る別のテンプレートを併用し、鉄筋の両端の位置決めを行うことで、鉄筋の配置精度がさらに向上する。また、このテンプレート自体をスペーサとして機能させ、当該テンプレート上に配筋した基礎梁の梁主筋等の他の鉄筋のかぶりを確保することもできる。加えて、上下の板材の孔を用いてコンクリートの打設を好適に行うことができ、これらの孔が包含関係になっていることで、コンクリートが回り込みやすくなる。
【００１７】
これらのテンプレートを用いて前述のように配筋を行うことで鉄筋の配置精度が充分に確保でき、且つ、従来の方法で同程度の配置精度を確保する場合に比べ、大幅に工程を短縮し、工費を削減することができる。
【発明の効果】
【００１８】
本発明によれば、配筋時の作業性等を向上可能なテンプレート等を提供し、それらによる簡易な固定方法を実現することができる。
【図面の簡単な説明】
【００１９】
【図１】上部テンプレート１の概要を示す図
【図２】上部テンプレート１の斜視図
【図３】下部テンプレート１５の概要を示す図
【図４】下部テンプレート１５の斜視図
【図５】配筋方法を示す図
【図６】配筋方法を示す図
【図７】配筋方法を示す図
【図８】配筋方法を示す図
【図９】コンクリート４１の打設について示す図
【発明を実施するための形態】
【００２０】
以下、図面に基づいて本発明の好適な実施形態について詳細に説明する。
【００２１】
（１．テンプレート）
まず、本発明の実施形態に係るテンプレートについて図１〜図４を参照して説明する。本実施形態では以下説明する一対のテンプレート（上部テンプレートと下部テンプレート）によるテンプレートセットを用い、基礎梁の配筋を行う。その方法については後述する。
【００２２】
図１は上部テンプレート１の概要を示す図である。図１（ａ）は上部テンプレート１の上面図、図１（ｂ）は図１（ａ）の線Ａ−Ａによる上部テンプレート１の断面図である。また図２は上部テンプレート１の斜視図であり、下面を上にして見たものである。
【００２３】
上部テンプレート１は鋼板３、鞘管７等から構成される。鋼板３は外周が略矩形（正方形）状となる板材であり、中央部にコンクリートを打設するための孔９が形成される。孔９は略正方形状であるがこれに限ることはなく、略円形としてもよい。また鋼板３の四隅には、上部テンプレート１を固定するための固定具の取付に用いる孔１１（取付部）が形成される。なお、鋼板３の外周部に上部テンプレート１の運搬用の持ち手（不図示）を設けることも可能である。
【００２４】
孔９の周囲には複数の開口５が形成される。開口５は鉄筋を挿入するためのものであり、開口５ａ〜５ｃからなる。開口５ａは平面において内側にあり、開口５ｂ、５ｃはそれよりも外側に形成される。
【００２５】
各開口５ａ〜５ｃには、鋼板３の平面に対して同じ側（下面側）に突出する管体である鞘管７（７ａ〜７ｃ）が設けられる。鞘管７ａ〜７ｃは溶接等によって開口５ａ〜５ｃの内周面に取付けられる。
【００２６】
各鞘管７ａ〜７ｃが鋼板３の平面から突出する長さは内側へ行くほど長くなっている。すなわち、内側の鞘管７ａの突出長さは外側の鞘管７ｂ、７ｃより長く、鞘管７ａの突出端（開口５ａの開口端）は鞘管７ｂ、７ｃの突出端（開口５ｂ、５ｃの開口端）より下方にあり、鋼板３の平面からより離れた位置にある。
【００２７】
なお、図２に示すように、鞘管７ｂ、７ｃを比較した場合には、鞘管７ｂの突出長さの方が鞘管７ｃより長く、鞘管７ｂの突出端は、鞘管７ｃの突出端よりも鋼板３の平面から離れた位置にある。
【００２８】
図３は下部テンプレート１５の概要を示す図である。図３（ａ）は下部テンプレート１５の上面図、図３（ｂ）は図３（ａ）の線Ｂ−Ｂによる断面図である。また図４は下部テンプレート１５の斜視図であり、上面を上にして見たものである。
【００２９】
下部テンプレート１５は、上部鋼板１７と下部鋼板１９を間隔保持材２１によって間隔を空けて配置して構成される。上部鋼板１７と下部鋼板１９は、外周が略矩形（正方形）状となる板材であり、四辺の中央部および四隅同士が間隔保持材２１で接続され一体化される。間隔保持材２１としてはチャンネル材が用いられるが、これに限ることはない。
【００３０】
上部鋼板１７では、中央部にコンクリート打設用の孔２５が形成され、その周囲に鉄筋を挿入するための複数の開口２３が形成される。開口２３は開口２３ａ〜２３ｃからなり、それぞれ上部テンプレート１の開口５ａ〜５ｃの位置に対応する。開口２３ａは平面において内側にあり、開口２３ｂ、２３ｃはそれよりも外側に形成される。
【００３１】
下部鋼板１９の中央部にはコンクリート打設用の孔２７が形成される。上部鋼板１７の孔２５と下部鋼板１９の孔２７は、平面において孔２５が孔２７を包含する位置関係にある。この例では、孔２５、孔２７がともに略正方形状であり１辺の長さは孔２５のほうが大きく、且つ孔２７が孔２５に対して平面において４５度回転した位置関係となっている。
【００３２】
（２．配筋方法）
次に、上部テンプレート１および下部テンプレート１５（テンプレートセット）を用いた配筋方法について説明する。本実施形態では、キャプリングパイル工法によって杭頭にＰＣリングを被せて補強した後、その上に基礎梁を構築する例を説明する。
【００３３】
図５に示すように、本実施形態では地中に打設された左右の杭（不図示）の杭頭がＰＣリング３３で補強されており、まずＰＣリング３３の間に架け渡すように下部テンプレート１５が設置される。なお、図示は省略するがＰＣリング３３からは定着筋が上方に突出しており、この定着筋が下部テンプレート１５に干渉するようなケースでは、定着筋を挿通するための孔を下部テンプレート１５に予め設けておく。
【００３４】
下部テンプレート１５の設置後、図６（ａ）に示すように基礎梁の水平方向の梁主筋３７と鉛直方向の柱主筋３９を配置する。なお、図では説明のため梁主筋３７および柱主筋３９を簡略化して表示している。また、本実施形態では予め地組した梁主筋３７を下部テンプレート１５の上に載せて先に配置し、その後柱主筋３９の配置を行う。この時、下部テンプレート１５は下部の梁主筋３７のかぶりを確保するスペーサとして機能する。柱主筋３９はＰＣａ部材の鉄筋との接続に用いられる。
【００３５】
図６（ｂ）は下部テンプレート１５の上面図である（ＰＣリング３３の図示は省略している）が、図６（ｂ）に示すように柱主筋３９は平面において内外２段に配置される。
【００３６】
内側の柱主筋３９ａは、下端を上部鋼板１７の開口２３ａに通して下部鋼板１９上に配置される。外側の柱主筋３９ｂ、３９ｃは、下端を上部鋼板１７の開口２３ｂ、２３ｃに通して下部鋼板１９上に配置される。これにより、内外の柱主筋３９ａ〜３９ｃの下端の位置決めが行われる。
【００３７】
次に、図７に示すように柱主筋３９の周囲に架台４０を設置し、柱主筋３９の上方から上部テンプレート１を下降させ、まず内側の柱主筋３９ａの上端を鞘管７ａの突出端から開口５ａに挿入する。これにより、内側の柱主筋３９ａの上端の位置決めがなされる。
【００３８】
内側の柱主筋３９ａをガイドとして上部テンプレート１をさらに下降させ、図８（ａ）および上部テンプレート１の上面図である図８（ｂ）に示すように、外側の柱主筋３９ｂ、３９ｃの上端を鞘管７ｂ、７ｃの突出端から開口５ｂ、５ｃに挿入する。これにより柱主筋３９ｂ、３９ｃの上端の位置決めが行われる。その後、上部テンプレート１をレバーホイスト５０などの固定具によって周囲の架台４０に固定する。
【００３９】
なお、本実施形態では鞘管７ｂの突出長さのほうが鞘管７ｃよりも長いので、上部テンプレート１を下降させる過程で、先に柱主筋３９ｂの上端を鞘管７ｂの突出端から開口５ｂに挿入した後、柱主筋３９ｃの上端を鞘管７ｃの突出端から開口５ｃに挿入することになる。
【００４０】
また本実施形態では、架台４０に取付けたレバーホイスト５０の先端のフックを上部テンプレート１の孔１１に引っ掛けることで、レバーホイスト５０の緊張により上部テンプレート１の位置調整および固定を行うことができる。
【００４１】
以上のようにして配筋を行った後、型枠（不図示）を組立てて図９に示すようにコンクリート４１の打設を行う。この際、上部テンプレート１の孔９からコンクリート４１を流し込み、柱主筋３９の周囲にコンクリート４１が打設される。上部鋼板１７の孔２５が下部鋼板１９の孔２７を包含する位置関係となっていることで、底部においてもコンクリート４１が回り込みやすくなっている。コンクリート４１は鞘管７ａの突出端よりも低い位置まで打設され、上部テンプレート１は撤去して転用可能である。架台４０についても同様に撤去して転用できる。
【００４２】
コンクリート４１から上方に突出した柱主筋３９は、その上部のＰＣａ部材（不図示）の鉄筋とスリーブにより接続され、構造物の柱部分の構築が行われる。柱主筋３９は上部テンプレート１と下部テンプレート１５によって正確な位置に配置されているので、ＰＣａ部材の鉄筋との接続も確実に行える。
【００４３】
このように、本実施形態によれば、上部テンプレート１を用い、内側の柱主筋３９ａから外側の柱主筋３９ｂ、３９ｃへと順次その上端を上部テンプレート１の鞘管７ａ〜７ｃに挿入することにより、柱主筋３９ａ〜３９ｃの上端の位置決めを容易に行うことができる。例えば、外側の鉄筋の位置決めを行った後その内側に手を挿し込んで鉄筋の位置決めを行うといったことがなく、また鞘管７ａに挿入済みの内側の柱主筋３９ａがガイドとなり、上部テンプレート１を移動させてその他の鞘管７ｂ、７ｃに柱主筋３９ｂ、３９ｃを挿入する作業が楽になるので、一度に全ての鉄筋をテンプレートの開口に挿入する場合と比べて作業性は格段に向上する。上部テンプレート１は簡易な構成で軽量であり、また上部テンプレート１による位置決めを行うことで柱主筋３９ａ〜３９ｃの配置精度も充分に確保できる。
【００４４】
また、上部テンプレート１では内外の開口５ａ〜５ｃに鞘管７ａ〜７ｃを設けることで、その突出長さの違いにより施工特性に応じて柱主筋３９ａ〜３９ｃの挿入作業を段階的に分けることができる。さらに、上部テンプレート１の中央部に孔９を設けることで、上部テンプレート１の上からコンクリート４１の打設を好適に行うことができる。加えて、上部テンプレート１にレバーホイスト５０などの固定具の取付用の孔１１を設けることで、固定具を用いて上部テンプレート１を周囲の架台４０に固定することができる。架台４０を利用してコンクリート打設時の安全性を確保することも可能であり、また上部テンプレート１や架台４０は、コンクリート４１の打設後に撤去して転用することができるので無駄がない。
【００４５】
また、間隔を空けて配置した上下の鋼板１７、１９からなる下部テンプレート１５を併用し、柱主筋３９ａ〜３９ｃの下端の位置決めを行うことで、基礎梁の梁主筋３７を配置した後に柱主筋３９ａ〜３９ｃを配置するような場合でも、その配置精度がさらに向上する。また、下部テンプレート１５自体をスペーサとして機能させることで、基礎梁の梁主筋３７のかぶりを確保できる。
【００４６】
加えて、上部鋼板１７と下部鋼板１９の孔２５、２７を用いてコンクリート４１の打設を好適に行うことができ、これらの孔２５、２７が包含関係になっていることで、コンクリート４１が回り込みやすい。なお、孔２５、２７の形状や位置関係は上記で説明したものに限らず、孔２５が孔２７を包含するような関係になっていればよい。例えば孔２５、２７を略円形とし、孔２５の径を孔２７より大きくしてもよい。
【００４７】
本実施形態では、これらのテンプレート１、１５を用いて前述のように配筋を行うことで柱主筋３９の配置精度が充分に確保でき、且つ、従来の方法で同程度の配置精度を確保する場合に比べ大幅に工程を短縮し、工費を削減することができる。
【００４８】
しかしながら、本発明はこれに限らない。例えば本実施形態では、ＰＣリング３３上に下部テンプレート１５を設置したが、ＰＣリング３３は必須ではなく、様々な構造物の構築時に、本発明のテンプレート１、１５を用いて鉄筋の位置決めができる。また柱主筋３９を、その他の鉄筋である梁主筋３７より先に配筋することも可能である。
【００４９】
また、上部テンプレート１および下部テンプレート１５の形状も上述したものに限らない。例えば、上部テンプレート１の開口５や下部テンプレート１５の開口２３の配置、数等も上述したものに限らず、配筋する鉄筋の位置や数量に対応したものとする。例えば、内外３段以上に柱主筋３９を配置する場合では、これに応じて開口５や鞘管７を内外３段以上に設けることも可能である。さらに、固定具が取付可能であれば上部テンプレート１に孔１１以外の取付部を設けてもよい。
【００５０】
また本実施形態では上部テンプレート１に３種類の長さの鞘管７を設けたが、これに限らない。例えば鞘管７の長さを２種類とし、内側の鞘管７の突出長さを長く、外側の鞘管７を短くしてもよい。また外側の鞘管７を省略することも可能である。いずれにせよ、内側の開口５の鞘管７の突出端（開口端）の位置が、外側の開口５の開口端よりも上部テンプレート１の平面から離れていればよい。
【００５１】
また、本実施形態では上部テンプレート１と下部テンプレート１５を両方用いたが、柱主筋３９の下端は下部テンプレート１５を用いず別途の方法で位置決めし、柱主筋３９の上端を上部テンプレート１を用いて位置決めして配筋を行うことも可能である。また逆に、柱主筋３９の下端を下部テンプレート１５を用いて位置決めし、柱主筋３９の上端は上部テンプレート１を用いず別途の方法で位置決めしてもよい。
【００５２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５３】
１；上部テンプレート
３；鋼板
５、５ａ、５ｂ、５ｃ、２３、２３ａ、２３ｂ、２３ｃ；開口
７、７ａ、７ｂ、７ｃ；鞘管
９、１１、２５、２７；孔
１５；下部テンプレート
１７；上部鋼板
１９；下部鋼板
２１；間隔保持材
３７；梁主筋
３９、３９ａ、３９ｂ；柱主筋
４０；架台
４１；コンクリート
５０；レバーホイスト
【図１】
0006464069.tif 000002
【図２】
0006464069.tif 000003
【図３】
0006464069.tif 000004
【図４】
0006464069.tif 000005
【図５】
0006464069.tif 000006
【図６】
0006464069.tif 000007
【図７】
0006464069.tif 000008
【図８】
0006464069.tif 000009
【図９】
0006464069.tif 000010